【手続補正書】
【提出日】平成17年7月1日(2005.7.1)
【手続補正１】
【補正対象書類名】明細書
【補正対象項目名】全文
【補正方法】変更
【補正の内容】
【書類名】      明細書【発明の名称】  局部床義歯【特許請求の範囲】【請求項１】  残存歯（２，３，４，５，６）に装着して用いる局部床義歯（１）であって、残存歯（２，３，４，５，６）に装着した時局部床義歯（１）と残存歯（２，３，５，６）との間に生じる隙間（３８，３９，７０，９３，９４）を被覆するための被覆片（７，８，９，１０，１１）を、局部床義歯（１）間に連結用部材（２５，２８，３０，３０′）を介して可動可能に設けたことを特徴とする局部床義歯。【請求項２】  請求項１記載の局部床義歯（１）において、前記被覆片（７，８，９，１０，１１）は、被覆片延長部（１２，１３，１４，１５，１６）が一体に添設されてできていることを特徴とする局部床義歯。【請求項３】  請求項１記載の局部床義歯（１）において、前記被覆片（７，８，９，１０，１１）の片表面色（１７）が前記局部床義歯（１）の床（１９）の床表面色（１８）と同一色であることを特徴とする局部床義歯。【請求項４】  請求項１記載の前記局部床義歯（１）において、前記連結用部材（２８，２９，３０，３１，７１）には接続台（６７、８０、８４，９５，１１６）を設けたことを特徴とする局部床義歯。【請求項５】  請求項１記載の前記連結用部材（２５，２６，２７，２８，２９，３０，３１，７１）で前記可動可能において、可動可能ならしめる機能をもつ可動材（５１，５２，５３，５４，５５，５６，５７，５８）を設けたことを特徴とする局部床義歯。【請求項６】  請求項１、５記載の前記連結用部材（２５，２８，３０）において、前記可動材（５１，５４，５６）には引っ張り棒ばね（２４，５９，８７）を設けて棒でつくったばねを用いたことを特徴とする局部床義歯。【請求項７】  請求項１，４，５記載の前記連結用部材（２６）において、前記可動材（５２）には帯状板でつくった引っ張り板ばね（４１）を設けて板でつくったばねを用いたことを特徴とする局部床義歯。【請求項８】  請求項１，４，５記載の前記連結用部材（２７）において、前記可動材（５３）には引っ張りコイルばね（４５）を設けてコイルでつくったばねを用いたことを特徴とする局部床義歯。【請求項９】  請求項１，４，５記載の前記連結用部材（２９，３１）において、前記可動材（５５，５７）には潰し圧縮コイルばね（７８，１０６）を設けてコイルを略平面状に潰したばねを用いたことを特徴とする局部床義歯。【請求項１０】  請求項１，４，５記載の前記連結用部材（７１）において、前記可動材（５８）には磁石（１１５，１１５′）を用いたことを特徴とする局部床義歯。【請求項１１】  請求項１，４記載の前記連結用部材（２５，２６，２７，２８，２９，３０，３１，７１）において、これには連結材（３２，４３，４７，４８，４９，５０，９９，１０４）を設けたことを特徴とする局部床義歯【請求項１２】  請求項１，４記載の前記連結用部材（２８，２９，３０，３１）において、前記連結材（４８，４９，５０，９９）には板（６３，７６，８６，１０１）にして設けたことを特徴とする局部床義歯。【請求項１３】  請求項１，４記載の前記連結用部材（７１）において、前記連結材（１０４）は直線状をした棒（１１１）にこれと平行にて一体に横転防止棒（��１２）を設けてできていることを特徴とする局部床義歯。【請求項１４】  請求項１，４記載の前記連結用部材（２８，２９）において、前記連結材（４８，４９）の板（６３，７６）が係合した溝（６８，６８′，７２，７２′）にてなる軌道（６９，６９′，７４，７４′）を設けたことを特徴とする局部床義歯。【請求項１５】  請求項１，４記載の前記連結用部材（７１）において、前記連結材（１０４）が係合した透孔（１２１，１２１′）にてなる軌道（１２３，１２３′）を設けたことを特徴とする局部床義歯。【請求項１６】  請求項１、４記載の前記連結用部材（２５）において、前記連結材（３２）の棒（３７）が係合して支点（３５）をつくった縦支点材（３４）を設けたことを特徴とする局部床義歯。【請求項１７】  請求項１，４記載の前記連結用部材（３０，３１）において、前記連結材（５０，９９）の板（８６，１０１）が係合して支点（８８，１０２）をつくった横支点材（８９，９７）を設けたことを特徴とする局部床義歯。【発明の詳細な説明】【０００１】【発明の属する技術分野】  本発明は、歯科用で局部床義歯において、残存歯に局部床義歯を装着して残存歯の豊隆部の下部と局部床義歯との間に生じる隙間に関するものである。【０００２】【従来の技術】    従来の前記隙間においては、何の対応処置も施されていない。【０００３】【発明の解決しようとする課題】  従来の前記隙間においては、食物が挟まり煩わしくまたは美観を損う等の問題点があった。【０００４】  本発明では、前記隙間において、これに被せる被覆片を、局部床義歯間に設けた連結用部材にて可動可能にすることにより解決せんとするを目的としたものである。【０００５】【課題を解決するための手段】  上記目的を達成するために、連結用部材に被覆片可動可能ならしめる機能をもつ可動材を設けると効果的である。【０００６】  前記被覆片においては、鉤を要する残存歯に被覆片を被せる場合は鉤の代役可能に被覆片を適宜に延長してつくるとよい。【０００７】  前記被覆片の片表面色は、局部床義歯の床表面色と同一色にするとよい。【０００８】  前記連結用部材には、後記する連結材並びに可動材を嵌脱可能にするために接続台を設けるとよい。【０００９】  前記可動材には、ばねを用いるのもよい。【００１０】  前記可動材には、磁石を用いるのもよい。【００１１】  前記連結用部材において、被覆片と可動材とを連結する連結材を設けるとよい。【００１２】  前記連結材には、板を用いるのもよい。【００１３】  前記連結材には、二本の棒を平行にて一体にしてつくって用いるのもよい。【００１４】  前記連結用部材において、被覆片を正確な進退可能ならしめるための軌道を設けるとよい。【００１５】  前記連結用部材において、被覆片の遊動を制御する支点を設けるとよい。【００１６】【発明実施の形態】  発明実施の形態を実施例にもとづき図面を参照して説明する。  図１に示される実施例では、例えば上顎の局部床義歯１にて図説したもので残存歯２，３，４，５，６に局部床義歯１を装着した上面図であり（齦部の図示は省略した）、局部床義歯１に設ける鉤（クラスプ）を要する残存歯２，３，５，６において鉤の代役をするまたは残存歯の植立状態等の理由で漠然とした境界で適宜に延長してつくった被覆片延長部１２，１３，１４，１５，１６がそれぞれ一体に添設されてできている被覆片７，８，９，１０，１１はこれの材料は例えば床１９の材料と略同じの即時重合レヂンでつくってあると共にこの被覆片７，８，９，１０，１１の片表面色１７が局部床義歯１の床１９の床表面色１８と同一色（略ピンク色）にてつくってある。また後記するＡ−Ａ線、Ｂ−Ｂ線，Ｃ−Ｃ線の断面線と、局部床義歯１の人工歯２０，２１、２２、２３，７３とを図示した。【００１７】  図２に示される実施例では、図３と一連のもので拡大した図１のＡ−Ａ線断面図である（前置きとして、唇側の方を前方、舌側の方を後方、概して咬合平面の方を上方、極細の線でも棒と呼ぶ事とした）。この残存歯２の遠心部の側面に対面する局部床義歯１の床１９と人工歯２０の側面には、局部床義歯１と連結されている被覆片７を（後記する被覆片８，９，１０，１１をも同様）可動可能な2002113021.tif 000001
【００１８】  そして前記引っ張り棒ばね２４の後部は外方に向けて折り返した部分を固定部３６として用いると共に前部は被覆片７と連結した連結材３２には略水平に折曲してつくった折曲容易な棒３７を用いてつくった連結用部材２５は掘削部３３に嵌入して固定部３６が局部床義歯１と埋没固定してある。さらに加えて連結用部材２５には材料は直線状の棒を用いこれの下部は任意に僅かに折曲して固定部１３１としそして作用点（被覆片を指す）は横方向に働く縦支点材３４を連結材３２の棒３７の近心部に立てて設け且つ進退可能に棒３７に密接して支点３５ができており、そしてて固定部１３１が局部床義歯１に埋没固定してある。【００１９】  図３に示される実施例では、図１の説明不要部は破断して拡大した正面図であり、被覆片延長部１２を添設してなる被覆片７と被覆片延長部１３を添設してなる被覆片８との鉤の代役を求められるこの二者はさらに被覆片を延長して一体にて連結されており、これを人工歯２０，２１の歯頸部にはそれぞれ僅かに被覆し、鉤を要する残存歯２の歯頸部には鉤の代役充分可能に被覆してあり、且つ局部床義歯１の床１９の床縁４０と残存歯２の遠心部並びに近心部との間にできた隙間３８、３９を被覆しており、そして連結用部材２５の連結材３２の棒３７が被覆片７、８に埋没固定されておる。なお図面は省略したが局部床義歯１の人工歯２１の近心部に連結用部材２５とは向きが反対向きで全く同じ構造の連結用部材を設定しこれの連結材を被覆片８に埋没固定する等も良い。【００２０】  図４に示される実施例では、図２に示した連結用部材２５の実施例で連結用部2002113021.tif 000002
後部は外方に折り返して局部床義歯と固定される固定部４２がつくってあり、さらに引っ張り板ばね４１の前部は被覆片と連結する連結材４３には適宜に折曲容易な棒４６にしてつくってある。【００２１】  図５に示される実施例では、図２で示した連結用部材２５の実施例で連結用部材２７のみの拡大した側面図であり、可動材５３は圧縮コイルばねでつくるのも良くまたはコイルを略平面状に潰して用いるのも良く例えば外径が極小の引っ張りコイルばね４５を用い、これの上部は上方に向けて略円形状に折曲して局部床義歯と固定される固定部４４をつくって設けると共に、下部の被覆片と連結される連結材４７には前方に向けて略水平につくって設けた棒６０でできておる。なおこの引っ張りコイルばね４５はこれの下部を横方向に引っ張って（通常軸方向に引っ張る）用いるようにしたものである。【００２２】  図６に示される実施例では、図７と一連のもので拡大した図１のＢ−Ｂ線断面図であり、この残存歯３の近心部の側面に対面する局部床義歯１の床１９と人工歯２２の側面には、接続台６７の基板１２２に横長方形状の板を用いこれの上部と下部とを折り返し部６１，６１′で手前の方に向けて折り返してできた台上板１０９，１０９′と接続台６７の基板１２２との間にできた溝６８，６８′を軌道６９，６９′として用いた。そして被覆片９と連結した連結材４８の前部は折曲容易な棒６２でつくりこれと一体に後部は軌道６９，６９′に嵌合密接して進退可能な板６2002113021.tif 000003
引っ張り棒ばね５９を用いて、これは接続台６７の後端部を手前に向けて再度折り返してつくった鉤６５と板６３の前部に設けた鉤６４とに引っ掛けて被覆片９を進退可能に引っ張っている。斯くつくった連結用部材２８の接続台６７は掘削部６６に嵌合して局部床義歯１と固定されている。【００２３】  図７に示される実施例では、図１の説明不要部は破断して拡大した左側の頬側のみの正面図であり、被覆片延長部１４を添設してなる被覆片９は人工歯２２の歯頸部には僅かに被覆して且つ鉤を要する残存歯３の歯頸部には鉤の代役充分可能に被覆しており（残存歯４は鉤不要）、さらに局部床義歯１の床１９の床縁４０と残存歯３との間にできた隙間７０を被覆しており、そして連結用部材２８の連結材４８の棒６２は被覆片９に埋没固定されておる。【００２４】図８に示される実施例では、図６の連結用部材２８の実施例で連結用部材２９のみの拡大した側面図であり、接続台８０の基板１２９に横長の方形状の板を用いこれの上部と下部とを折り返し部７９，７９′で手前の方に向けて折り返してできた台上板１１０，１１０′と接続台８０の基板１２９との間にできた溝７２，７２′を軌道７４，７４′として用いた。そして連結材４９はこれの前部には被覆片と連結する部分が適宜に折曲容易な棒７５を設けそしてこれと一体で後部には軌道７４，７４′に嵌合密接して進退可能にてなる板７６を停止板１３０にて後退を停止させて設けてさらに板７６の後部は幅を狭くして折り返し部８１で手前の方に向けて折り返して板７６の前部迄及んだ上板７７がつくられており且つ上板７７と板７６との間に僅かな隙間を作ってできている。そして可動材５５はコイルばねを略平面状に潰してつくった潰し圧縮コイルばね７８を用いてこれの中空部に上板７７を嵌入すると潰し圧縮コイルばね７８の一方端は折り返し部８１で動きは停止しており他方端は台上板１１０の後部を折曲してつくった鉤８２に引っ掛けてできておる【００２５】  図９に示される実施例では、図１０と一連で拡大した図１のＣ−Ｃ線断面図であり、残存歯５の遠心部の側面に対面する局部床義歯１の床１９と人工歯２３の側面には接続台８４の基板１２７に横長の略方形状の板を用いこれの前方を除く三方の辺縁部を手前の方に向けて折曲して立てた囲い８３，８３′，８３″をつくり、この囲い８３の前端の下面を横方向に水平につくって作用点が上、下方向に働く横支点材８９が設けてありさらにはこれの後部に切曲してつくった鉤９０が設けてある。そして連結材５０はこれの前部で被覆片１０と固定連結した部分に用いた棒８５とこれと一体にて後部に用いた板８６とにてできておる。【００２６】2002113021.tif 000004
８７の一方端は板８６の前部の下部に設けた鉤９１に引っ掛けて他方端は上部にある囲い８３に設けた鉤９０に引っ掛けてあり、この事から上部にある鉤９０に固定された弾性は下部にある鉤９１と一体の板８６の後部を上方に引っ張り上げる力が予想以上に働いても対応可能に板８６の後部と囲い８３との間には空間１０７が設けてあり、斯くして連結材５０の板８６は横支点材８９に進退可能に密接して支点８８ができておる。斯くつくった連結用部材３０と一体の接続台８４は掘削部１０８に嵌合して局部床義歯１と固定してある。【００２７】  図１０に示される実施例では、図説不要部は破断した図１の拡大した右側で頬側面のみの正面図であり、被覆片延長部１５を添設してなる被覆片１０には連結用部材３０の棒８５が埋没固定されており、そして被覆片延長部１６を添設してなる被覆片１１には床１９と人工歯７３の近心部に設けた連結用部材３０′（これの図説は省略したが連結用部材３０と３０′とは近心部または遠心部への設定で向きが変わるのみで構造は全く変わらない）の連結材５０′の棒８５′が埋没固定されており、さらに被覆片１０と１１との両者は凹凸をつくらない為に連結されて一体にできており、この被覆片１０，１１はそれぞれに人工歯２３，７３の歯頸部には僅かに被覆し且つ鉤を要する残存歯５，６の歯頸部には鉤の代役充分可能に被覆しさらには局部床義歯１の床１９の床縁４０と残存歯５，６との間にできた隙間９３，９４に被覆してある。【００２８】  図１１に示される実施例では、図９の連結用部材３０の実施例で連結用部材３１のみを拡大した側面図であり、接続台９５の基板１２８に横長で略方形状の板を用いこれの前方を除く三方の辺縁部を手前の方に向けて折曲して立てた囲い９６，９６′，９６″をつくり、囲い９６の前端の下面を横方向に水平につくって作用点が上、下方向に働く横支点材９７を設け、囲い９６の後部にはこれを切曲してつくった鉤９８が設けてある。且つ連結材９９はこれの前部に被覆片と連結する部分には棒１００を用いそしてこれと一体にて後部は板１０１を用いると共にこの板１０１の後部は折り返し部１０３で手前の方に向けて折り返してできた上板１０５は板１０１との間に僅かな隙間をつくって板１０１の前部に及んで設けてできている。【００２９】  そして可動材５７は略平面状に潰した潰し圧縮コイルばね１０６を用いると共にこれの中空部に上板１０５を嵌入すると潰し圧縮コイルばね１０６の一方端は折り返し部１０３で動きは停止しており他方端は上方に設けた鉤９８に引っ掛けてあり、この弾性は上方から下方にある上板１０５を上方に引っ張り上げる力が予想以上に働いても対応可能に板１０１の後部と囲い９６との間に空間１３２がつくってある．。斯くして板１０１は横支点材９７に進退可能に密接して支点１０２をつくっている。【００３０】  図１２，１３に示される実施例では、連結用部材７１のみの拡大した側面図と図１２のＤ−Ｄ線断面図であり、被覆片と連結する直線状をした棒１１１とこれに平行に設けた直線状した横転防止棒１１２とは直線状をした柱１１３にてそれぞれ連結固定して棒１１１、柱１１３、横転防止棒１１２の三者は一体にて工字状につくられて連結材１０４ができておる���そして接続台１１６の基板１１８には台形状の板を用いてこれの下部と上部とを折り返し部１１４，１１４′で手前の方に向けてそれぞれ折り返してできた上板１１９と基板１１８との間には棒１１１が進退可能に嵌合した溝１１７がつくられておると共に上板１１９′と基板１１８との間には横転防止棒１１２が進退可能に嵌合した溝１１７′がつくられて接続台１１６ができておる。【００３１】  また可動材５８に用いた磁石１１５，１１５′の下面（棒１１１と対向する面）には棒１１１が進退可能に嵌合した溝１２０，１２０′がつくってあると共に磁石１１５，１１５′の上面（横転防止棒１１２と対向する面）には横転防止棒１１２が進退可能に嵌合した溝１２４，１２４′がつくってあり、さらに柱１１３と対向する磁石１１５，１１５′の面には柱１１３が嵌合した溝１２５，１２５′がつくってある。且つ磁石１１５，１１５′の外方端には局部床義歯と固定する切除してつくった固定部１２６，１２６′を設けて可動材５８ができておる。【００３２】  そして（特に図１３を参照されたい）接続台１１６の下部に設けた溝１１７と磁石１１５，１１５′の下面に設けた溝１２０，１２０′とが対向して棒１１１を囲んでできた透孔１２１を軌道１２３として用いると共に接続台１１６の上部に設けた溝１１７′と磁石１１５，１１５′の上面に設けた溝１２４，１２４′とが対向して横転防止棒１１２を囲んでできた透孔１２１′を軌道１２３′として用いて連結用部材７１ができておる。さらには図１２で詳述すると、被覆片は左にあり「左向き」にできている連結用部材７１は磁石１１５′の固定部１２６′を接続台１１６と共に局部床義歯に固定したとして連結材１０４を引っ張ると連結材１０４は固定された磁石１１５′と引っ張り合っている磁石１１５と共に進退する事となり、これを設定場所により「右向き」にするときは磁石１１５の固定部１２６を局部床義歯に固定したとすると連結用部材７１の右の方から連結材１０４を嵌合すると良く、つまり固定部１２６または１２６′の何れかを固定することにより何れの設定場所にも適応可能にできておる。【００３３】【発明の効果】  本発明は、以上説明したように構成されているので、以下に記載されるような効果を奏する【００３４】  請求項１においては、局部床義歯と残存歯との間にできた隙間には、連結用部材に設けた可動材にて可動可能にできた被覆片を被覆したので、美観をも満足させると共に食物が挟かることはなく不潔と嫌悪感を払拭した。【００３５】  請求項２での被覆片延長部においては、局部床義歯と鉤を要する残存歯との間に生じた隙間に被せた被覆片を更に延長してつくった被覆片延長部を設けて、これにて鉤を要する残存歯の豊隆部の高低には気遣う事なく齦ギリギリの所を鉤の代役可能に被覆して、老いの証明ともなり、または食物の淀みを齎し、さらには本人は勿論の事他人から見ても不愉快な思いをする等の元凶でもある鉤そのものを排除した。【００３６】  請求項３での片表面色においては、被覆片の片表面色と局部床義歯の床表面色とを同一色にしたので、本人の顎なのか又は局部床義歯の床、或いは被覆片なのか判別が出来ない程に違和感が無く美意識を満足させる。【００３７】  請求項４��の接続台においては、連結用部材は主として可動材、連結材、固定材の三者にてできており、これを三者一体に作ると三者の一者のみを修正または交換は不可能で且つ被覆片をも作り変えなくてはならない、この事から可動材と連結材との二者を個々に嵌脱可能な固定材を備え持つ接続台を設けた事から、被覆片に支障を来した時は被覆片と一体の連結材を取り外して修正または交換すれば良く、可動材も同様是のみを取り外して修正、交換すれば良く、斯く修正、交換、作り変えを容易ならしめると共に接続台には軌道を容易に設ける事も可能である。【００３８】  請求項５での可動材においては、被覆片は残存歯と密接または離間を求められる事から、被覆片を可動可能ならしめる機能をもつ不可欠の可動材を設けた。【００３９】  請求項６での棒ばねにおいては、人工歯の下顎前歯のように設定範囲の極めて狭い場合何れの方向にも切曲容易で且つ構造が単純である事から清潔で清掃も容易な棒ばねを用いた。【００４０】  請求項７での板ばねにおいては、板ばねを用いると棒ばねを一連にて重ねて作ったのと同様の性能を持ち、狭い場所にも設定可能であると共に構造が単純である事から清潔で清掃も容易である。【００４１】  請求項８でのコイルばねにおいては、コイルばねを用いると長い棒を捲いて出来ている事から、同じ弾力の負荷を要求された場合短い棒で受動するより、長い棒で受動する方が同じ長さに掛かる負荷は小さいので無理が無く弾力を円滑に働かせることが可能で劣化も少なく優れた性能をもつ。【００４２】  請求項９での潰しコイルばねにおいては、コイルを潰すと無用な中空部は圧縮されて殆ど無くなり、それだけ装置の縮小化に貢献する。【００４３】  請求項１０での磁石においては、磁石は劣化がないと共に強力な磁力を利用すると設定場所は嵩張る事無く装置の縮小化に貢献する。【００４４】  請求項１１での連結材においては、連結材は被覆片と可動材とを直接、間接に仲介するものであり、被覆片を作る作業で肉の薄い被覆片に埋没固定するときは、美観を損う事無く且つ補強の重責をも忘れずに歯  部に沿うて被覆片の上、下面の中間に来るように、また可動材にも直接、間接に連結するもので命綱とも言える。【００４５】  請求項１２での板においては、板の上、下の端部に係合する軌道を設けると、下端部に設けた軌道には板の下端部が係合して進退し、上端部に設けた軌道には板の上端部が係合して進退すると共に横転防止としての働きをも持つ事つ事ができる。【００４６】  請求項１３での横転防止棒においては、連結材に二本の棒を平行に設けて、下段の棒は単に軌道を進退して働き、上段の横転防止棒は軌道にて働くと共にこれに固定連結された被覆片の横方向に転ぶのを防ぎ、さらにはこの下段の棒との間の無用の空間には可動材を挟み込んで設ける事も可能な事から装置の縮小化に貢献する。【００４７】  請求項１４、１５での軌道においては、連結材に固定連結された被覆片が進退するとき、これが遊動すると床と被覆片との間に却って大きな隙間ができて支障を来す事になる等から、被覆片が進退するとき元の正位置に必ず嵌り込んで正確な働きが出来るように軌道を設けて前記した支障を払拭した。さらには被覆片を作るとき、美観を損わない並���に補強線ともなり得る効果を求められている連結材は切曲調整には数回は嵌脱を強いられる事から、作業の最初に軌道を床に固定しておくと基本が確定して作業が容易で正確なものとする。【００４８】  請求項１６での縦支点材においては、縦支点材は連結材と一体の被覆片の横方向の遊動を制御するものであると共に、被覆片を作るとき被覆片が嵌合する凹部が床に作ってあり、この凹部の一方側には被覆片の遊動を制御する堤が自ずとできており、凹部の他方側には堤が無い又は低い場合はこの他方側に向かって被覆片が遊動をしない様に縦支点材を設けて被覆片の遊動を制御したものである。【００４９】  請求項１７での横支点材においては、横支点材は連結材と一体の被覆片が上、下方向の遊動を制御するもので、「長い被覆片」を作るときは、この被覆片が嵌り込む床に掘削して設けた凹部の両側には必ず自ずと堤が出来ておる場合、この両側の堤に拠り被覆片の横方向の遊動は制御されて、被覆片の上、下方向への遊動のみを制御すれば良い事となり、この事から横支点材を設け可動材（力点）は僅かに上方から引っ張ると被覆片（作用点）は下方に向かって働き床と密接して隙間を作る事なく進退するので被覆片の浮揚を防ぐ事が出来る。【図面の簡単な説明】【図１】上顎の残存歯に局部床義歯を装置して反転した上面図。【図２】図１のＡ−Ａ線断面図。【図３】被覆片を詳述した図１の正面図。【図４】連結用部材のみの実施例を示した斜視図。【図５】連結用部材のみの実施例を示した側面図。【図６】図１のＢ−Ｂ線断面図。【図７】被覆片を詳述した図１の左側のみの正面図。【図８】連結用部材のみの実施例を示した側面図。【図９】図１のＣ−Ｃ線断面図。【図１０】被覆片を詳述した図１の右側のみの正面図。【図１１】連結用部材のみの実施例を示した側面図。【図１２】連結用部材のみの実施例を示した側面図。【図１３】図１２のＤ−Ｄ線断面図。【符号の説明】１  局部床義歯２，３，４，５，６  残存歯３８，３９，７０，９３，９４  隙間７，８，９，１０，１１  被覆片１２，１３，１４，１５，１６  被覆片延長部６７，８０，８４，９５，１１６  接続台２５，２６，２７，２８，２９，３０，３０′，３１，７１  連結用部材２４，５９，８７  引っ張り棒ばね４１  引っ張り板ばね４５  引っ張りコイルばね７８，１０６  潰し圧縮コイルばね１１５，１１５′  磁石６９，６９′，７４，７４′、１２３，１２３′  軌道３４  縦支点材８９，９７  横支点材【手続補正２】
【補正対象書類名】図面
【補正対象項目名】全図
【補正方法】変更
【補正の内容】
【図１】
2002113021.tif 000005
【図２】
2002113021.tif 000006
【図３】
2002113021.tif 000007
【図４】
2002113021.tif 000008
【図５】
2002113021.tif 000009
【図６】
2002113021.tif 000010
【図７】
2002113021.tif 000011
【図８】
2002113021.tif 000012
【図９】
2002113021.tif 000013
【図１０】
2002113021.tif 000014
【図１１】
2002113021.tif 000015
【図１２】
2002113021.tif 000016
【図１３】
2002113021.tif 000017